(57)【要約】【課題】配信プログラムに係る関連コンテンツにユーザを効果的に誘導することが可能となる。【解決手段】配信先装置から取得した配信プログラムに係るログ情報に基づいて、複数の前記配信先装置から対象配信先装置を抽出する抽出部と、前記対象配信先装置の識別子と対応付いた誘導対象の識別子を取得する識別子特定部と、前記誘導対象の識別子に基づいて、前記誘導対象に前記配信プログラムに係る関連コンテンツへの誘導情報を表示させる誘導制御部と、を備える、情報処理装置が提供される。【選択図】図１
2018123248.tif 000002
【特許請求の範囲】
【請求項１】
配信先装置から取得した配信プログラムに係るログ情報に基づいて、複数の前記配信先装置から対象配信先装置を抽出する抽出部と、
前記対象配信先装置の識別子と対応付いた誘導対象の識別子を取得する識別子特定部と、
前記誘導対象の識別子に基づいて、前記誘導対象に前記配信プログラムに係る関連コンテンツへの誘導情報を表示させる誘導制御部と、
を備える、
情報処理装置。
【請求項２】
前記識別子特定部は、ＩＰアドレスに基づいて特定した前記誘導対象の識別子を取得する、
請求項１に記載の情報処理装置。
【請求項３】
前記識別子特定部は、ＩＰアドレスに基づいて前記対象配信先装置と同一のネットワークに接続する前記誘導対象の識別子を取得する、
請求項１に記載の情報処理装置。
【請求項４】
前記抽出部は、前記ログ情報に基づいて、前記配信プログラムに対する処理を実行した配信先装置を前記対象配信先装置として抽出する、
請求項１に記載の情報処理装置。
【請求項５】
前記配信プログラムに対する処理は、再生または記録に係る処理を含む、
請求項４に記載の情報処理装置。
【請求項６】
前記誘導制御部は、前記誘導情報から前記関連コンテンツへのアクセスが行われる際、前記関連コンテンツに前記誘導対象の識別子が引き渡されるよう制御を行う、
請求項１に記載の情報処理装置。
【請求項７】
前記誘導制御部は、前記誘導対象と類似の傾向を有する類似対象にさらに前記誘導情報を表示させる、
請求項１に記載の情報処理装置。
【請求項８】
前記誘導対象の起動を促すプッシュ通知を行うプッシュ通知部、
をさらに含む、
請求項１に記載の情報処理装置。
【請求項９】
前記プッシュ通知部は、前記誘導対象が起動されていないことに基づいて前記プッシュ通知を行う、
請求項８に記載の情報処理装置。
【請求項１０】
前記ログ情報と前記関連コンテンツに対する入力情報とに基づく分析を実施する分析部、
をさらに備える、
請求項１に記載の情報処理装置。
【請求項１１】
前記分析部は、前記対象配信先装置の識別子と前記誘導対象の識別子とに基づいて、前記ログ情報と前記入力情報とを関連付けた分析を行う、
請求項１０に記載の情報処理装置。
【請求項１２】
前記関連コンテンツは、アンケートまたは広告のうち少なくとも一方を含む、
請求項１に記載の情報処理装置。
【請求項１３】
前記配信プログラムは、映像プログラムを含み、
前記配信先装置は、前記映像プログラムの再生装置または記録装置のうち少なくとも一方を含む、
請求項１に記載の情報処理装置。
【請求項１４】
前記誘導対象は、前記配信先装置と対応付けられたアプリケーション、サービス、または装置のうち少なくともいずれかを含む、
請求項１に記載の情報処理装置。
【請求項１５】
前記誘導対象の識別子は、広告ＩＤを含み、
前記誘導制御部は、前記広告ＩＤをＤＳＰサーバへ送信させる、
請求項１に記載の情報処理装置。
【請求項１６】
プロセッサが、配信先装置から取得した配信プログラムに係るログ情報に基づいて、複数の前記配信先装置から対象配信先装置を抽出することと、
前記対象配信先装置の識別子と対応付いた誘導対象の識別子を取得することと、
前記誘導対象の識別子に基づいて、前記誘導対象に前記配信プログラムに係る関連コンテンツへの誘導情報を表示させることと、
を含む、
情報処理方法。
【請求項１７】
コンピュータを、
配信先装置から取得した配信プログラムに係るログ情報に基づいて、複数の前記配信先装置から対象配信先装置を抽出する抽出部と、
前記対象配信先装置の識別子と対応付いた誘導対象の識別子を取得する識別子特定部と、
前記誘導対象の識別子に基づいて、前記誘導対象に前記配信プログラムに係る関連コンテンツへの誘導情報を表示させる誘導制御部と、
を備える、
情報処理装置、
として機能させるためのプログラム。
【請求項１８】
配信先装置から取得した配信プログラムに係るログ情報に基づいて、複数の前記配信先装置から対象配信先装置を抽出する抽出部と、
前記対象配信先装置の識別子と対応付いた誘導対象の識別子を取得する識別子特定部と、
前記誘導対象の識別子に基づいて、前記誘導対象に前記配信プログラムに係る関連コンテンツへの誘導情報を表示させる誘導制御部と、
前記誘導制御部による制御に基づいて前記誘導情報を表示する表示部と、
を備える、
情報処理システム。
【発明の詳細な説明】
【技術分野】
【０００１】
本開示は、情報処理装置、情報処理方法、プログラム、および情報処理システムに関する。
【背景技術】
【０００２】
近年、情報処理技術の発展に伴い、不特定多数を対象とする多くの配信プログラムが提供されている。また、上記のような配信プログラムに関する情報を活用するための種々の技術が開発されている。例えば、特許文献１には、アプリケーションを用いて配信プログラムの視聴率を測定する技術が開示されている。
【先行技術文献】
【特許文献】
【０００３】
【特許文献１】特開２０１２−８０２４８号公報
【発明の概要】
【発明が解決しようとする課題】
【０００４】
ところで、上記のようなプログラム配信の分野では、配信プログラムを視聴したユーザなどから情報を効率的に収集する手段や、当該ユーザに関連情報を効果的に伝達する手段が求められている。しかし、特許文献１に記載の技術では、視聴データの他、ユーザが予め設定した基本データの収集に留まっており、配信側の要望に対しオンデマンドに対応することが困難である。【０００５】
そこで、本開示では、配信プログラムに係る関連コンテンツにユーザを効果的に誘導することが可能な、新規かつ改善された情報処理装置、情報処理方法、プログラム、および情報処理システムを提案する。
【課題を解決するための手段】
【０００６】
本開示によれば、配信先装置から取得した配信プログラムに係るログ情報に基づいて、複数の前記配信先装置から対象配信先装置を抽出する抽出部と、前記対象配信先装置の識別子と対応付いた誘導対象の識別子を取得する識別子特定部と、前記誘導対象の識別子に基づいて、前記誘導対象に前記配信プログラムに係る関連コンテンツへの誘導情報を表示させる誘導制御部と、を備える、情報処理装置が提供される。【０００７】
また、本開示によれば、プロセッサが、配信先装置から取得した配信プログラムに係るログ情報に基づいて、複数の前記配信先装置から対象配信先装置を抽出することと、前記対象配信先装置の識別子と対応付いた誘導対象の識別子を取得することと、前記誘導対象の識別子に基づいて、前記誘導対象に前記配信プログラムに係る関連コンテンツへの誘導情報を表示させることと、を含む、情報処理方法が提供される。【０００８】
また、本開示によれば、コンピュータを、配信先装置から取得した配信プログラムに係るログ情報に基づいて、複数の前記配信先装置から対象配信先装置を抽出する抽出部と、前記対象配信先装置の識別子と対応付いた誘導対象の識別子を取得する識別子特定部と、前記誘導対象の識別子に基づいて、前記誘導対象に前記配信プログラムに係る関連コンテンツへの誘導情報を表示させる誘導制御部と、を備える、情報処理装置、として機能させるためのプログラムが提供される。【０００９】
また、本開示によれば、配信先装置から取得した配信プログラムに係るログ情報に基づいて、複数の前記配信先装置から対象配信先装置を抽出する抽出部と、前記対象配信先装置の識別子と対応付いた誘導対象の識別子を取得する識別子特定部と、前記誘導対象の識別子に基づいて、前記誘導対象に前記配信プログラムに係る関連コンテンツへの誘導情報を表示させる誘導制御部と、前記誘導制御部による制御に基づいて前記誘導情報を表示する表示部と、を備える、情報処理システムが提供される。
【発明の効果】
【００１０】
以上説明したように本開示によれば、配信プログラムに係る関連コンテンツにユーザを効果的に誘導することが可能となる。【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態の概要を説明するための図である。
【図２】同実施形態に係る情報処理システムのシステム構成例を示す図である。
【図３】同実施形態に係る配信先装置の機能ブロック図の一例である。
【図４】同実施形態に係る情報処理装置の機能ブロック図の一例である。
【図５】同実施形態に係る情報処理端末の機能ブロック図の一例である。
【図６】同実施形態に係るコンテンツサーバの機能ブロック図の一例である。
【図７】同実施形態に係る情報処理端末の表示部に表示される誘導情報の一例を示す図である。
【図８】同実施形態に係る本実施形態に係るプッシュ通知の一例を示す図である。
【図９】同実施形態に係る情報処理装置の動作の流れを示すフローチャートである。
【図１０】本開示に係るハードウェア構成例である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．実施形態
１．１．実施形態の概要
１．２．システム構成例
１．３．配信先装置１０のシステム構成例
１．４．情報処理装置２０の機能構成例
１．５．情報処理端末３０の機能構成例
１．６．コンテンツサーバ４０の機能構成例
１．７．誘導情報に係る表示制御の具体例
１．８．分析部２６０による分析の一例
１．９．情報処理装置２０の動作の流れ
２．ハードウェア構成例 
３．まとめ
【００１５】
＜１．実施形態＞
＜＜１．１．実施形態の概要＞＞
まず、本開示に係る一実施形態の概要について説明する。上述したとおり、近年においては、多くの配信プログラムが提供されている。上記の配信プログラムには、例えば、テレビジョンプログラム（以下、ＴＶプログラム、とも呼ぶ）などの映像プログラムや、ラジオプログラムなどの音声プログラムが含まれる。
【００１６】
また、近年では、配信プログラムを再生する装置や、当該装置と連携するアプリケーションなども多く開発されている。例えば、配信プログラムがＴＶプログラムである場合、ＴＶプログラムの視聴ログを自動的に送信するテレビジョン装置（以下、ＴＶ装置、とも呼ぶ）や、当該ＴＶ装置と連携し、ＴＶプログラムの番組表を表示する機能やＴＶ装置のリモートコントローラとしての機能を有するアプリケーションなどが存在する。
【００１７】
ところで、上記のような配信プログラムを制作、配信する側にとっては、配信プログラムを視聴したユーザから当該配信プログラムに関する情報を収集したい場合や、当該配信プログラムに関連する付加情報を伝達したい場合がある。例えば、ＴＶプログラムを制作する制作会社やＴＶプログラムを配信するテレビ局にとって、当該ＴＶプログラムを視聴したユーザから収集したアンケートは今後の事業に対し重要な情報となり得る。また、ＴＶ局などにとっては、ＴＶプログラムに関連した広告や告知などをユーザに伝達することも重要な戦略となる。
【００１８】
しかし、多くの場合、配信側では、実際に配信プログラムを視聴したユーザを特定することが困難であるため、配信プログラムを視聴していないユーザなどを含む不特定多数のユーザにアンケートや広告を提示しているのが実情である。また、上記のような方法では、対象者に配信プログラムを視聴していないユーザも含まれ得るため、アンケートの信頼性を低下させる懸念や、配信プログラムに興味を持たないユーザに広告を送信するなどしてユーザの満足度を低下させる懸念もある。
【００１９】
本実施形態に係る情報処理装置、情報処理方法、プログラム、および情報システムは、上記の点に着目して発想されたものであり、配信プログラムに係る実際のログ情報に基づいて特定したユーザを、当該配信プログラムに係る関連コンテンツへ誘導することを可能とする。
【００２０】
図１は、本実施形態の概要を説明するための図である。図１には、本実施形態に係る配信先装置１０、情報処理装置２０、および情報処理端末３０が示されている。なお、図１を用いた以下の説明においては、配信先装置１０がＴＶプログラムを再生するＴＶ装置であり、誘導対象が上記のＴＶ装置と連携するアプリケーションである場合を例に説明する。上述したように、上記のアプリケーションは、ＴＶプログラムに係る番組表を表示する機能や、リモートコントローラとしての機能を有するアプリケーションであってもよい。
【００２１】
また、本実施形態に係る情報処理装置２０は、配信先装置１０から取得したログ情報に基づいて関連コンテンツへの誘導対象を特定し、当該誘導対象に関連コンテンツへの誘導情報を表示させる装置である。図１に示す一例の場合、情報処理装置２０は、配信先装置１０から受信した視聴ログに基づいて、対象となるＴＶプログラムを実際に再生した配信先装置１０を抽出している。また、情報処理装置２０は、上記で抽出した配信先装置１０のＩＤ（１２３４Ｘ）に基づいて、配信先装置１０と対応付いたアプリケーションに係るＩＤ（５６７８Ｙ）を取得している。
【００２２】
また、本実施形態に係る情報処理端末３０は、上記の誘導対象となるアプリケーションの動作を制御する情報処理装置である。すなわち、情報処理端末３０で起動するアプリケーションのユーザインタフェースでは、情報処理装置２０による制御に基づいて、配信プログラムに係る関連コンテンツへの誘導情報が表示される。上記の誘導情報には、例えば、ＴＶ番組に関連するアンケートへのリンクなどが含まれてよい。なお、図１には、誘導情報から遷移したアンケート画面の一例が示されている。
【００２３】
以上説明したように、本実施形態に係る技術思想によれば、配信プログラムに係る実際のログ情報に基づいて特定したユーザを、当該配信プログラムに係る関連コンテンツへ誘導することが可能となる。このように、本実施形態に係る技術思想によれば、対象ユーザを効率的に限定することで、関連コンテンツへの誘導に係るコストを低減することができ、また関連コンテンツが奏する効果を効果的に向上させることが可能となる。
【００２４】
＜＜１．２．システム構成例＞＞
次に、本実施形態に係る情報処理システム１０００のシステム構成例について説明する。図２は、本実施形態に係る情報処理システム１０００のシステム構成例を示す図である。図２を参照すると、本実施形態に係る情報処理システム１０００は、例えば、配信先装置１０、情報処理装置２０、情報処理端末３０、およびコンテンツサーバ４０を含んで構成され得る。また、上記の各構成は、ネットワーク５０を介して互いに通信が行えるように接続される。
【００２５】
（配信先装置１０）
本実施形態に係る配信先装置１０は、配信される配信プログラムに対する処理を行う装置である。ここで、上記の配信プログラムには、種々の映像プログラムや音声プログラムなどが含まれる。映像プログラムとしては、例えば、ＴＶプログラムやインターネット上で配信される動画プログラムなどが挙げられる。また、音声プログラムとしては、ラジオプログラムやポッドキャストプログラムなどが挙げられる。
【００２６】
また、上記の配信プログラムに対する処理には、配信プログラムの再生や記録に係る処理が含まれてよい。このため、本実施形態に係る配信先装置には、配信プログラムの再生装置や記録装置が含まれてよい。例えば、配信プログラムがＴＶプログラムである場合には、配信先装置１０は、ＴＶ装置や録画装置などであり得る。また、配信プログラムがインターネット上で配信される動画プログラムやポッドキャストなどである場合には、配信先装置１０は、ＰＣ（Ｐｅｒｓｏｎａｌ  Ｃｏｍｐｕｔｅｒ）、スマートフォン、タブレット、携帯電話、ウェアラブル装置などであり得る。
【００２７】
また、本実施形態に係る配信先装置１０は、配信プログラムに係るログ情報を情報処理装置２０に送信する機能を有する。例えば、配信先装置１０がＴＶ装置である場合、配信先装置１０は、ＴＶプログラムの視聴に係るログ情報を５分おきなどに情報処理装置２０に送信してもよい。また、配信先装置１０は、上記のようなログ情報を取得した際、当該ログ情報を即座に送信することも可能である。
【００２８】
（情報処理装置２０）
本実施形態に係る情報処理装置２０は、配信先装置１０から送信されるログ情報と識別子に基づいて、配信プログラムに係る関連コンテンツへの誘導対象を特定し、当該誘導対象に関連コンテンツへの誘導情報を表示させる装置である。より具体的には、本実施形態に係る情報処理装置２０は、抽出条件に一致するログ情報を有する配信先装置１０の識別子に基づいて、当該識別子と対応付いた誘導対象の識別子を取得することができる。また、本実施形態に係る情報処理装置２０は、上記で取得した誘導対象の識別子に基づいて、当該誘導対象に関連コンテンツへの誘導情報を表示させることができる。
【００２９】
ここで、上記の誘導対象には、配信先装置１０と対応付けられたアプリケーションや各種のサービス、ＯＳ（Ｏｐｅｒａｔｉｎｇ  Ｓｙｓｔｅｍ）、装置などが含まれてよい。本実施形態に係る情報処理装置２０は、配信先装置１０と対応付いた識別子に基づいて上記のような誘導対象を制御することができる。
【００３０】
また、本実施形態に係る誘導対象の特定には、種々の識別子が用いられ得る。例えば、誘導対象がアプリケーションである場合には、当該アプリケーションに固有のアプリケーションＩＤ、当該アプリケーションを使用するユーザに固有のユーザＩＤやメールアドレス、ＩＰアドレス、他のサービスと共通で用いられる共通ＩＤ、また広告配信識別用途に利用されるいわゆる広告ＩＤなどが用いられてよい。このため、識別子が上記の共通ＩＤや広告ＩＤである場合などには、本実施形態に係る情報処理装置２０は、１つの識別子に基づいて複数の誘導対象に誘導情報を表示させることができる。
【００３１】
（情報処理端末３０）
情報処理端末３０は、誘導対象となるアプリケーションやサービス、ＯＳなどをユーザに提供する情報処理装置である。また、上述したとおり、本実施形態に係る情報処理端末３０は、誘導対象でもあり得る。情報処理端末３０は、情報処理装置２０による制御に基づいて、配信プログラムに係る関連コンテンツへの誘導情報を表示する機能を有する。本実施形態に係る情報処理端末３０は、例えば、ＰＣ、スマートフォン、タブレット、携帯電話、ウェアラブル装置などであり得る。
【００３２】
（コンテンツサーバ４０）
本実施形態に係るコンテンツサーバ４０は、配信プログラムに係る関連コンテンツを提供する情報処理装置である。関連コンテンツがＷｅｂコンテンツである場合、コンテンツサーバ４０は、Ｗｅｂサーバとしての機能を有してよい。なお、本実施形態に係る関連コンテンツには、例えば、配信プログラムに関連したアンケート、広告、告知などが含まれてよい。
【００３３】
（ネットワーク５０）
ネットワーク５０は、配信先装置１０、情報処理装置２０、情報処理端末３０、およびコンテンツサーバ４０を接続する機能を有する。ネットワーク５０は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク５０は、ＩＰ−ＶＰＮ（Ｉｎｔｅｒｎｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００３４】
以上、本実施形態に係る情報処理システム１０００のシステム構成例について説明した。なお、図２を用いて説明した上記の構成はあくまで一例であり、本実施形態に係る情報処理システム１０００の構成は係る例に限定されない。例えば、情報処理装置２０が有する機能は、複数の装置に分散して実現されてもよい。また、例えば、情報処理装置２０とコンテンツサーバ４０とが有する機能は、単一の装置により提供されてもよい。本実施形態に係る情報処理システム１０００のシステム構成は、システムの仕様や運用の方針などに応じて柔軟に変形され得る。
【００３５】
＜＜１．３．配信先装置１０のシステム構成例＞＞
次に、本実施形態に係る配信先装置１０のシステム構成例について説明する。図３は、本実施形態に係る配信先装置１０の機能ブロック図の一例である。図３を参照すると、本実施形態に係る配信先装置１０は、配信プログラム処理部１１０、制御部１２０、ログ保持部１３０、通信部１４０を備える。
【００３６】
（配信プログラム処理部１１０）
本実施形態に係る配信プログラム処理部１１０は、ネットワーク５０を介して受信した配信プログラムに対する種々の処理を行う機能を有する。上述したとおり、上記の配信プログラムには、ＴＶプログラムのような映像プログラムや、ラジオプログラムのような音声プログラムが含まれる。このため、本実施形態に係る配信プログラム処理部１１０は、例えば、映像プログラムや音声プログラムの再生や録画（録画予約を含む）を行う機能を有する。
【００３７】
（制御部１２０）
本実施形態に係る制御部１２０は、配信プログラム処理部１１０やログ保持部１３０の動作を制御する機能を有する。制御部１２０は、例えば、ユーザによる入力操作に基づいて、配信プログラム処理部１１０に、配信プログラムの再生や録画を行わせることができる。
【００３８】
（ログ保持部１３０）
本実施形態に係るログ保持部１３０は、配信プログラム処理部１１０による処理動作に基づいて、配信プログラムに係るログを記憶する機能を有する。例えば、配信プログラムがＴＶプログラムである場合、本実施形態に係るログ保持部１３０は、配信プログラム処理部１１０が録画や再生を行ったＴＶプログラムに係るチャンネルＩＤ（局ＩＤ）、番組ＩＤ、再生開始時間、再生終了時間などを記録することができる。また、ログ保持部１３０は、ＣＭプログラムに係るＩＤや、再生有無（スキップ有無）などを記録してもよい。
【００３９】
（通信部１４０）
本実施形態に係る通信部１４０は、ネットワーク５０を介して情報処理装置２０などとの情報通信を行う機能を有する。具体的には、通信部１４０は、ログ保持部１３０が記録した配信プログラムに係るログ情報を情報処理装置２０に送信する。この際、本実施形態に係る通信部１４０は、例えば、５分ごとに上記のログ情報を定期的に情報処理装置２０に送信してもよい。なお、通信部１４０は、ログ情報が取得された際、当該ログ情報を即座に情報処理装置２０に送信してもよい。また、通信部１４０は、上記のログ情報と共に配信先装置１０に係るＩＤなどの識別子やＩＰアドレスなどを送信する。
【００４０】
以上、本実施形態に係る配信先装置１０の機能構成例について説明した。なお、図３を用いて説明した上記の機能構成はあくまで一例であり、本実施形態に係る配信先装置１０の機能構成は係る例に限定されない。本実施形態に係る配信先装置１０は、上記で説明した以外の構成はさらに備えてよい。配信先装置１０は、例えば、ユーザの操作入力を受け付ける入力部や、配信プログラムを出力する出力部を含んで構成され得る。本実施形態に係る配信先装置１０の機能構成は柔軟に変形され得る。
【００４１】
＜＜１．４．情報処理装置２０の機能構成例＞＞
次に、本実施形態に係る情報処理装置２０の機能構成例について説明する。図４は、本実施形態に係る情報処理装置２０の機能ブロック図の一例である。図４を参照すると、本実施形態に係る情報処理装置２０は、記憶部２１０、抽出部２２０、識別子特定部２３０、誘導制御部２４０、プッシュ通知部２５０、分析部２６０、通信部２７０を備える。
【００４２】
（記憶部２１０）
本実施形態に係る記憶部２１０は、情報処理装置２０の各機能により扱われる情報を記憶する機能を有する。例えば、本実施形態に係る記憶部２１０は、配信先装置１０から送信される配信プログラムに係るログ情報を記憶する。この際、記憶部２１０は、複数の配信先装置１０から受信したログ情報を蓄積してよい。また、記憶部２１０は、配信先装置１０の識別子と対応付いた誘導対象の識別子を記憶する。この際、記憶部２１０は、上記の識別子と共に配信先装置１０や誘導対象から送信されるＩＰアドレスの情報をさらに対応づけて記憶してもよい。さらには、記憶部２１０は、コンテンツサーバ４０から送信される関連コンテンツに対する入力情報を記憶する。
【００４３】
（抽出部２２０）
本実施形態に係る抽出部２２０は、記憶部２１０が記憶する配信プログラムに係るログ情報と種々の抽出条件とに基づいて、複数の配信先装置１０から対象配信先装置を抽出する機能を有する。なお、上記の抽出条件には、例えば、上述したようなチャンネルＩＤや番組ＩＤのいずれか、または両者の組み合わせなどが複数設定され得る。また、同一のＴＶプログラムが複数のＴＶ局で放送される場合などにあっては、同一のＴＶプログラムに対して異なるチャンネルＩＤ、番組ＩＤが設定される場合があるため、当該複数のＴＶ局で放送される番組のすべてを指定可能な上位ＩＤなどが用いられてもよい。
【００４４】
また、本実施形態に係る抽出条件には、配信プログラムに対する処理内容も設定され得る。例えば、本実施形態に係る抽出部２２０は、上記のログ情報に基づいて、配信プログラムに対する所定の処理を実行した配信先装置を対象配信先装置として抽出してよい。ここで、上記の配信プログラムに対する処理には、再生または記録に係る処理が含まれる。例えば、配信プログラムがＴＶプログラムである場合、抽出部２２０は、上記のようにＩＤなどで指定されたＴＶプログラムを実際に再生した配信先装置１０や、録画（または録画予約）した配信先装置１０を対象配信先装置として抽出することができる。
【００４５】
抽出条件として設定され得る例としては、例えば、あるＴＶプログラムを所定時間以上再生した場合、あるＴＶプログラムと同一時間枠で放送される別のＴＶプログラムを再生した場合、あるＴＶプログラムから別のＴＶプログラムへ再生を切り替えた場合、あるいはこの逆などが挙げられる。
【００４６】
また、本実施形態に係る抽出部２２０は、ＣＭプログラムに対する処理を実行した配信先装置１０を抽出してもよい。抽出部２２０は、例えば、抽出条件に設定されたＣＭプログラムを実際に再生した配信先装置１０や、ＣＭプログラムに対するスキップ処理を行った配信先装置１０を対象配信先装置として抽出してもよい。
【００４７】
本実施形態に係る抽出部２２０が有する上記の機能によれば、全国各地から受信したログ情報に基づいて、実際に配信プログラムに対する所定の処理を行った対象配信先装置のみを抽出することができ、マーケティング活動などを広範囲かつ低コストに実現することが可能となる。
【００４８】
（識別子特定部２３０）
本実施形態に係る識別子特定部２３０は、抽出部２２０が抽出した対象配信先装置の識別子と対応付いた誘導対象の識別子を取得する機能を有する。上述したように、本実施形態に係る誘導対象には、アプリケーションやサービス、ＯＳ、装置などが含まれてよい。上記の誘導対象は、例えば、ユーザによる操作などに基づいて、予め配信先装置１０と対応付けられる。本実施形態に係る識別子特定部２３０が有する上記の機能によれば、配信先装置１０のユーザが保持する別モーダルの識別子を特定することが可能となる。
【００４９】
また、本実施形態に係る識別子特定部２３０は、ＩＰアドレスに基づいて誘導対象の識別子を取得することも可能である。例えば、識別子特定部２３０は、特定の地域や組織に割り振られたＩＰアドレスに対応付いた誘導対象の識別子を取得してもよい。本実施形態に係る識別子特定部２３０が有する上記の機能によれば、条件に応じて誘導対象を効果的に限定することができる。
【００５０】
また、本実施形態に係る識別子特定部２３０は、ＩＰアドレスに基づいて対象配信先装置と同一ネットワークに接続する誘導対象の識別子を取得することもできる。この際、識別子特定部２３０は、例えば、対象配信先装置と同一のホームネットワークに接続する誘導対象の識別子のみを取得してもよい。本実施形態に係る識別子特定部２３０が有する上記の機能によれば、例えば、家庭などで単一の配信先装置１０を共有して使用する場合、すなわち複数のユーザが存在する場合などにおいて、実際に配信プログラムを視聴したユーザを精度高く推定することが可能となる。識別子特定部２３０は、例えば、配信プログラムが再生された際に、対象配信先装置と同一のホームネットワークに接続していない場合、外出中であり配信プログラムを視聴していない可能性が高いと判定し誘導対象から除外することができる。また、本実施形態に係る識別子特定部２３０は、例えば、Ｂｌｕｅｔｏｏｔｈ（登録商標）やＢＬＥ（Ｂｌｕｅｔｏｏｔｈ  Ｌｏｗ  Ｅｎｅｒｇｙ）などのビーコン技術を用いた近接検知に基づいて、誘導対象の識別子を取得することもできる。すなわち、識別子特定部２３０は、配信先装置１０から所定の距離内に位置する誘導対象の識別子のみを取得してもよい。
【００５１】
（誘導制御部２４０）
本実施形態に係る誘導制御部２４０は、識別子特定部２３０が取得した誘導対象の識別子に基づいて、当該誘導対象に配信プログラムに係る関連コンテンツへの誘導情報を表示させる機能を有する。本実施形態に係る誘導制御部２４０が有する上記の機能によれば、例えば、ＴＶプログラムを実際に視聴したユーザを関連コンテンツに誘導することが可能となり、より精度の高いマーケティング活動を低コストで実現することが可能となる。
【００５２】
また、本実施形態に係る誘導制御部２４０は、誘導対象と類似の傾向を有する類似対象にさらに誘導情報を表示させてもよい。ここで、上記の類似対象とは、アプリケーションやサービス上における行動の傾向が誘導対象と類似している対象であってよい。一例としては、アプリケーションで閲覧するＴＶプログラム情報の傾向や、ＳＮＳ（Ｓｏｃｉａｌ  Ｎｅｔｗｏｒｋｉｎｇ  Ｓｅｒｖｉｃｅ）で閲覧またはフォローする情報の傾向が誘導対象と類似する場合などが挙げられる。本実施形態に係る誘導制御部２４０が有する上記の機能によれば、ユーザがログ情報の送信機能を持たない再生装置など使用している場合であっても、当該ユーザの視聴行動などを精度高く推定することができ、より広範囲なマーケティング活動を実現することが可能となる。
【００５３】
また、本実施形態に係る誘導対象が上述した広告ＩＤである場合、誘導制御部２４０は、識別子特定部２３０が取得した広告ＩＤの一覧を、ＤＳＰ（Ｄｅｍａｎｄ−Ｓｉｄｅ  Ｐｌａｔｆｏｒｍ）業者の設置するＤＳＰサーバなどに送信させてもよい。本実施形態に係る誘導制御部２４０が有する上記の機能によれば、予め配信先装置１０と対応付けられた誘導対象以外のモーダルにも誘導情報を表示させることが可能となり、より広範囲なマーケティング活動などを実現することが可能となる。
【００５４】
（プッシュ通知部２５０）
本実施形態に係るプッシュ通知部２５０は、誘導対象の起動を促すプッシュ通知を行う機能を有する。プッシュ通知部２５０は、例えば、誘導対象が起動されていないことに基づいて、誘導対象であるアプリケーションやサービスなどの起動を促すメッセージなどを情報処理端末３０に表示させることができる。本実施形態に係るプッシュ通知部２５０が有する上記の機能によれば、誘導対象が起動されていない場合であっても、ユーザが誘導情報を確認する可能性を高めることができ、より効率的なマーケティング活動を実現することが可能となる。
【００５５】
（分析部２６０）
本実施形態に係る分析部２６０は、記憶部２１０が記憶するログ情報と、情報処理端末３０を介して入力される関連コンテンツに対する入力情報とに基づく種々の分析を実施する機能を有する。この際、本実施形態に係る分析部２６０は、対象配信先装置の識別子と誘導対象の識別子とに基づいて、ログ情報と入力情報とを関連付けた分析を行うことができる。
【００５６】
例えば、関連コンテンツがアンケートである場合、分析部２６０は、アンケートに対する入力情報と、当該アンケートに対する入力を行ったユーザの視聴ログとを関連付けた分析を行うことが可能である。本実施形態に係る分析部２６０が有する上記の機能によれば、配信プログラムに対する実際のログ情報と関連コンテンツへの入力情報とを一貫して追跡することができ、より精度の高い分析を実現することが可能となる。また、分析部２６０は、分析結果を例えばレポートとして出力する機能を有してもよい。
【００５７】
（通信部２７０）
本実施形態に係る通信部２７０は、ネットワーク５０を介して、配信先装置１０、情報処理端末３０、コンテンツサーバ４０、ＤＳＰサーバ（図示しない）などとの情報通信を行う機能を有する。具体的には、本実施形態に係る通信部２７０は、配信先装置１０からログ情報や識別子、ＩＰアドレスなどを受信する。また、通信部２７０は、誘導情報の表示やプッシュ通知に係る制御情報を情報処理端末３０に送信する。また、通信部２７０は、コンテンツサーバ４０から関連コンテンツへの入力情報を受信する。
【００５８】
以上、本実施形態に係る情報処理装置２０の機能構成例について説明した。なお、図４を用いて説明した上記の構成はあくまで一例であり、本実施形態に係る情報処理装置２０の機能構成は係る例に限定されない。例えば、上記で述べた各機能は、複数の装置に分散されて実現されてもよい。記憶部２１０、抽出部２２０、識別子特定部２３０、誘導制御部２４０、プッシュ通知部２５０、および分析部２６０が有する機能は、それぞれ別途の装置により実現することも可能である。また、本実施形態に係る情報処理装置２０は、上記で説明した以外の構成をさらに備えてもよい。情報処理装置２０は、例えば、入力操作を受け付ける入力部や各種の情報を出力する出力部などをさらに備えることができる。本実施形態に係る情報処理装置２０の機能構成は柔軟に変形され得る。
【００５９】
＜＜１．５．情報処理端末３０の機能構成例＞＞
次に、本実施形態に係る情報処理端末３０の機能構成例について説明する。図５は、本実施形態に係る情報処理端末３０の機能ブロック図の一例である。図５を参照すると、本実施形態に係る情報処理端末３０は、表示部３１０、入力部３２０、制御部３３０、および通信部３４０を備える。
【００６０】
（表示部３１０）
本実施形態に係る表示部３１０は、誘導対象のユーザインタフェースなどを表示する機能を有する。特に、本実施形態に係る表示部３１０は、関連コンテンツへの誘導情報を表示することを特徴の一つとする。このために、本実施形態に係る表示部３１０は、視覚情報を出力する表示デバイスを含んで構成される。上記の表示デバイスには、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などが挙げられる。
【００６１】
（入力部３２０）
本実施形態に係る入力部３２０は、ユーザによる入力操作を検出する機能を有する。本実施形態に係る入力部３２０は、例えば、ユーザによる誘導情報のクリックなどの選択操作や、関連コンテンツへの入力などを検出する。このために、本実施形態に係る入力部３２０は、例えば、キーボード、マウス、ボタン、スイッチ、タッチパネルなどの入力デバイスを含んで構成される。
【００６２】
（制御部３３０）
本実施形態に係る制御部３３０は、情報処理端末３０が備える各構成の動作を全体的に制御する機能を有する。制御部３３０は、例えば、表示部３１０が表示するユーザインタフェースの挙動や入力部３２０が検出した入力情報の処理などを行ってもよい。また、本実施形態に係る制御部３３０は、情報処理装置２０の誘導制御部２４０やプッシュ通知部２５０などによる制御に基づいて、誘導情報やプッシュ通知を表示部３１０に表示させてよい。
【００６３】
（通信部３４０）
本実施形態に係る通信部３４０は、ネットワーク５０を介して情報処理装置２０及びコンテンツサーバ４０との情報通信を行う機能を有する。具体的には、通信部３４０は、情報処理装置２０から誘導情報の表示やプッシュ通知に係る制御情報を受信する。また、通信部３４０は、ユーザによる入力操作に基づいて、コンテンツサーバ４０から関連コンテンツに係る情報を受信する。また、通信部３４０は、関連コンテンツに対する入力情報をコンテンツサーバ４０に送信する。なお、上記の関連コンテンツに対する入力情報には、例えば、アンケートに対する回答内容や、関連コンテンツ内における情報の表示や再生などの履歴、また、関連コンテンツへのアクセス実績そのもの、などが含まれてよい。また、通信部３４０は、上記の入力情報と共に誘導対象の識別子をコンテンツサーバ４０に送信する。
【００６４】
以上、本実施形態に係る情報処理端末３０の機能構成例について説明した。なお、図５を用いて説明した上記の構成はあくまで一例であり、本実施形態に係る情報処理端末３０の機能構成は係る例に限定されない。本実施形態に係る情報処理端末３０の機能構成は柔軟に変形され得る。
【００６５】
＜＜１．６．コンテンツサーバ４０の機能構成例＞＞
次に、本実施形態に係るコンテンツサーバ４０の機能構成例について説明する。図６は、本実施形態に係るコンテンツサーバ４０の機能ブロック図の一例である。図６を参照すると、本実施形態に係るコンテンツサーバ４０は、コンテンツ保持部４１０、コンテンツ配信部４２０、入力情報保持部４３０、および通信部４４０を備える。
【００６６】
（コンテンツ保持部４１０）
本実施形態に係るコンテンツ保持部４１０は、関連コンテンツの内容を保持する機能を有する。コンテンツ保持部４１０は、例えば、情報処理端末３０に表示されるアンケートや広告に係るテキスト情報や画像情報などを保持してよい。例えば、配信プログラムがＴＶプログラムである場合、コンテンツ保持部４１０には、ＴＶ局や制作会社、または仲介業者などにより制作されたアンケートや広告コンテンツが予め登録され得る。
【００６７】
（コンテンツ配信部４２０）
本実施形態に係るコンテンツ配信部４２０は、情報処理端末３０からのリクエストに基づいて、コンテンツ保持部４１０が保持する関連コンテンツを配信する機能を有する。このために、本実施形態に係るコンテンツ配信部４２０は、例えば、Ｗｅｂサーバとしての機能を有してもよい。
【００６８】
（入力情報保持部４３０）
本実施形態に係る入力情報保持部４３０は、情報処理端末３０から送信される関連コンテンツに対する入力情報を保持する機能を有する。また、入力情報保持部４３０には、上記の入力情報と共に送信される誘導情報の識別子が併せて記憶される。なお、本実施形態に係る入力情報保持部４３０が保持する入力情報は、定期または不定期に情報処理装置２０の記憶部２１０に同期されてよい。
【００６９】
（通信部４４０）
本実施形態に係る通信部４４０は、ネットワーク５０を介して情報処理装置２０及び情報処理端末３０との情報通信を行う機能を有する。具体的には、本実施形態に係る通信部４４０は、情報処理端末３０に関連コンテンツを配信し、情報処理端末３０から関連コンテンツに対する入力情報と誘導対象の識別子とを受信する。また、通信部４４０は、入力情報保持部４３０が保持する関連コンテンツへの入力情報を定期または不定期に情報処理装置２０へ送信する。
【００７０】
以上、本実施形態に係るコンテンツサーバ４０の機能構成について説明した。なお、図６を用いて説明した上記の構成はあくまで一例であり、本実施形態に係るコンテンツサーバ４０の機能構成は係る例に限定されない。例えば、本実施形態に係るコンテンツサーバ４０は、情報処理装置２０の分析部２６０と同等の構成を備えてもよい。この場合、コンテンツサーバ４０は、情報処理装置２０から誘導対象の識別子に基づいたログ情報を取得することで、種々の分析を行うことができる。本実施形態に係るコンテンツサーバ４０の機能構成は柔軟に変形され得る。
【００７１】
＜＜１．７．誘導情報に係る表示制御の具体例＞＞
次に、本実施形態の誘導情報に係る表示制御の具体例について述べる。上述したとおり、本実施形態に係る誘導制御部２４０は、誘導対象の識別子に基づいて当該誘導対象に配信プログラムに係る関連コンテンツへの誘導情報を表示させることができる。
【００７２】
図７は、情報処理端末３０の表示部３１０に表示される誘導情報の一例を示す図である。なお、図７には、本実施形態に係る誘導対象が配信先装置１０と対応付いたアプリケーションである場合の一例が示されている。上記のアプリケーションは、例えば、ＴＶプログラムの番組表を表示する機能やリモートコントローラとしての機能を有するアプリケーションであってよい。
【００７３】
この際、本実施形態に係る表示部３１０は、図７に示すように、誘導制御部２４０による制御の基、アプリケーションのユーザインタフェースＵＩに、誘導情報Ｒ１を表示する。ここで、誘導情報Ｒ１には、図示するように、関連コンテンツへ誘導するためのメッセージや、関連コンテンツへアクセスするためのリンクｂ１が含まれてもよい。
【００７４】
ユーザは、例えば、リンクｂ１をクリックすることにより関連コンテンツへアクセスし、アンケートなどへの回答を行うことができる。また、本実施形態に係る誘導制御部２４０は、誘導情報から関連コンテンツへのアクセスが行われる際、当該関連コンテンツに誘導対象の識別子が引き渡されるよう制御を行ってよい。誘導制御部２４０は、例えば、誘導対象の広告ＩＤがパラメータとしてコンテンツサーバ４０に送信されるよう誘導情報を制御することができる。
【００７５】
なお、図７には、誘導情報としてメッセージとリンクｂ１が表示される場合の一例が示されているが、誘導制御部２４０は、例えば、ＴＶプログラムに係る視聴シーンに応じたバナー画面などを自動生成したり、ＴＶプログラムのキャプチャなどを誘導情報に含ませたりしてもよい。
【００７６】
また、誘導制御部２４０は、関連コンテンツへ既にアクセスを行っている誘導対象には誘導情報を表示させないよう制御を行ってもよいし、誘導情報を所定の回数以上表示させても、関連コンテンツへのアクセスが行われない場合には、次回から誘導情報を表示させないなどの制御を行ってもよい。さらには、誘導制御部２４０は、例えば、情報処理端末３０が備える加速度センサやＧＰＳなどの情報に基づいて、情報処理端末３０が移動状態であると推定される場合には、誘導情報を表示させない、などの制御を行うことも可能である。
【００７７】
また、本実施形態に係る誘導制御部２４０は、関連コンテンツへの入力情報に基づいた誘導情報を表示させることも可能である。誘導制御部２４０は、例えば、ＴＶプログラムに興味があると回答した誘導対象には、次回の放送予定などを告知する誘導情報を表示させてもよい。
【００７８】
また、誘導制御部２４０は、ＴＶプログラムの放送が終了した直後や、指定された曜日や時間帯に誘導情報を表示させてもよいし、配信先装置１０と誘導対象とが同一のホームネットワークに接続されている場合にのみ誘導情報を表示させてもよい。また、誘導制御部２４０は、Ｂｌｕｅｔｏｏｔｈなどにより誘導対象が配信先装置１０から所定の距離内に位置することが検知されたことに基づいて、誘導情報を表示させることもできる。
【００７９】
以上説明したように、本実施形態に係る誘導制御部２４０は、種々の条件に基づいて、誘導対象に関連コンテンツへの誘導情報を表示させることができる。また、上述したように、本実施形態に係る誘導制御部２４０は、誘導対象に加え、誘導対象と類似の傾向を有する類似対象に誘導情報を表示させてもよい。本実施形態に係る誘導制御部２４０が有する上記の機能によれば、配信プログラムに係る実際のログ情報に基づいて、広範囲かつ低コストなマーケティング活動を行うことが可能となり、精度の高い情報収集や情報発信を実現することができる。
【００８０】
また、本実施形態に係る情報処理装置２０は、誘導対象が起動されていない場合であっても、ユーザが誘導情報を確認する可能性を高める機能を有する。具体的には、情報処理装置２０のプッシュ通知部２５０は、誘導対象が起動されていないことに基づいて、当該誘導対象の起動を促すプッシュ通知を行うことができる。
【００８１】
図８は、本実施形態に係るプッシュ通知の一例を示す図である。図８には、情報処理端末３０のホーム画面ＨＭに表示されるプッシュ通知Ｐ１の一例が示されている。このように、本実施形態に係るプッシュ通知部２５０が、プッシュ通知Ｐ１により誘導対象の起動を促すことで、ユーザが誘導情報を確認する可能性を大きく向上させることができる。本実施形態に係るプッシュ通知は、ＴＶプログラム中の所定の場面の放送直後に、ユーザに関連コンテンツへアクセスさせたい場合など、関連コンテンツへアクセスするまでの時間が重要となる状況で、特に高い効果が期待される。
【００８２】
なお、図７および図８を用いた上記の説明では、本実施形態に係る誘導対象がアプリケーションである場合を例に述べたが、上述したとおり、本実施形態に係る誘導対象は、係る例に限定されない。本実施形態に係る誘導対象は、例えば、ＳＮＳやＷｅｂページなどの種々のサービスであってもよい。この場合、本実施形態に係る誘導制御部２４０は、ＳＮＳやＷｅｂページ上に誘導情報を表示させることができる。また、本実施形態に係る誘導制御部２４０は、アプリケーションとＳＮＳなど複数の誘導対象に誘導情報を同時に表示させることも可能である。本実施形態に係る誘導制御部２４０による制御内容は、配信プログラムや関連コンテンツの特性に応じて適宜設計されてよい。
【００８３】
＜＜１．８．分析部２６０による分析の一例＞＞
次に、本実施形態に係る分析部２６０による分析の一例について説明する。上述したように、本実施形態に係る分析部２６０は、記憶部２１０が記憶するログ情報と、関連コンテンツに対する入力情報とに基づいて、種々の分析を行うことができる。この際、本実施形態に係る分析部２６０は、配信先装置１０の識別子と関連コンテンツに対する入力情報と共に取得される誘導対象の識別子とに基づいて、ログ情報と入力情報とを対応付けた分析を実現することができる。
【００８４】
例えば、本実施形態に係る分析部２６０は、所定のＴＶプログラムの視聴時間と、当該ＴＶプログラムの視聴認知とに係る関係性を分析してもよい。すなわち、分析部２６０によれば、視聴時間がどの程度あれば、ユーザがＴＶプログラムを視聴したと認知する傾向があるかを分析することができる。この際、例えば、分析部２６０は、ログ情報から所定のＴＶプログラムに係る再生時間を取得し、関連コンテンツの入力情報から、「あなたは、プログラムＡ（所定のＴＶプログラム名称）を視聴しましたか？」、というアンケートに対する回答情報を取得することで、上記の分析を行うことができる。当該分析によれば、ログ情報による単純な解析とは異なりユーザの意識を反映したより価値のある分析結果を得ることが可能である。
【００８５】
また、例えば、分析部２６０は、所定のＴＶプログラムと同一時間枠で放送される別プログラムを視聴しているユーザの、上記所定のＴＶプログラムに対する視聴意向を分析してもよい。すなわち、分析部２６０によれば、ユーザの所定のＴＶプログラムに対する興味の度合や、その理由を分析することができる。この際、例えば、分析部２６０は、ログ情報から別のＴＶプログラムを視聴した時間を取得し、関連コンテンツの入力情報から、「あなたはプログラムＡ（所定のＴＶプログラム名称）を視聴したいと思いますか？」、というアンケートに対する回答情報を取得することで、上記の分析を行うことができる。ここで、上記の回答情報には、例えば、「とても見たい」、「まぁまぁ見たい」、「どちらともいえない」、「あまり見たくない」、「まったく見たくない」、などの選択情報やその理由などが含まれてよい。当該分析によれば、視聴率を上げるための今後の対策に有用な情報を得ることが可能である。
【００８６】
また、例えば、分析部２６０は、所定のＣＭプログラムを視聴したユーザの、当該ＣＭプログラムで紹介される販促商品に対する対応や意識を分析してもよい。例えば、分析部２６０は、ＣＭプログラムを視聴したユーザが実際に販促商品を購入したか否かや、購入意欲が高まったか否かを分析することができる。この際、例えば、分析部２６０は、ログ情報から所定のＣＭプログラムが配信先装置１０で再生されたか否かの情報を取得し、関連コンテンツへの入力情報から、「実際に商品Ｂ（販促商品名称）を購入しましたか？」や「商品Ｂへの購入意欲が高まりましたか？」、というアンケートに対する回答情報を取得することで、上記の分析を行うことができる。当該分析によれば、実際にＣＭプログラムを視聴したユーザからの回答のみを用いた精度の高い分析結果を得ることが可能である。また、例えば、分析部２６０は、上記の回答情報に加え、Ｗｅｂ上での広告視聴履歴を併せて考慮することで、クロスメディア上における広告視聴ユーザの意識を分析することも可能である。
【００８７】
以上、本実施形態に係る分析部２６０による分析について具体例を挙げて説明した。なお、上記で述べた分析はあくまで一例であり、本実施形態に係る分析部２６０による分析は係る例に限定されない。本実施形態に係る分析部２６０は、配信プログラムや関連コンテンツの内容に応じた種々の分析を行うことが可能である。
【００８８】
また、本実施形態では、例えば、アンケートに対する回答内容を配信プログラムに反映することで、ユーザのアンケートに対する回答意欲を高める施策などが行われてもよい。また、情報処理装置２０は、アンケートに回答したユーザにＥＣサイトや実店舗で使用できるクーポンなどのインセンティブを配信することで、ユーザの回答意欲を高めることもできる。
【００８９】
なお、上述したとおり、本実施形態に係る分析機能は、必ずしも情報処理装置２０一機能として実現されなくてもよい。本実施形態に係る分析部２６０に対応する機能は、コンテンツサーバ４０の機能として実現されてもよいし、情報処理装置２０やコンテンツサーバ４０とは別途の装置の機能として実現されてもよい。
【００９０】
＜＜１．９．情報処理装置２０の動作の流れ＞＞
次に、本実施形態に係る情報処理装置２０の動作の流れについて詳細に説明する。図９は、本実施形態に係る情報処理装置２０の動作の流れを示すフローチャートである。
【００９１】
図９を参照すると、まず、情報処理装置２０の通信部２７０は、配信先装置１０からログ情報および識別子を受信する（Ｓ１１０１）。また、この際、通信部２７０は、配信先装置１０のＩＰアドレスを併せて受信してもよい。
【００９２】
次に、本実施形態に係る抽出部２２０は、抽出条件に基づく対象配信先装置の抽出を行う（Ｓ１１０２）。
【００９３】
次に、本実施形態に係る識別子特定部２３０は、ステップＳ１１０２で抽出された対象配信先装置の識別子に対応する誘導対象の識別子を取得する（Ｓ１１０３）。この際、識別子特定部２３０は、上述したとおり、ＩＰアドレスに基づいて誘導対象の識別子を取得してもよい。また、識別子特定部２３０は、類似対象の識別子を併せて取得することもできる。
【００９４】
ここで、ステップＳ１１０３で取得された誘導対象の識別子が広告ＩＤなどである場合には、本実施家形態に係る誘導制御部２４０は、上記の広告ＩＤの一覧をＤＳＰ事業者が設置するＤＳＰサーバなどに送信させてもよい（Ｓ１１０４）。
【００９５】
次に、誘導制御部２４０は、誘導対象が起動されているか否かを判定する（Ｓ１１０５）。
【００９６】
ここで、誘導制御部２４０が誘導対象が起動されていないと判定した場合（Ｓ１１０５：Ｎｏ）、本実施形態に係るプッシュ通知部２５０は、ステップＳ１１０３で取得された誘導対象の識別子に基づいて、誘導対象の起動を促すプッシュ通知を通信部２７０に送信させる（Ｓ１１０７）。
【００９７】
一方、誘導制御部２４０が誘導対象が起動されていると判定した場合（Ｓ１１０５：Ｙｅｓ）、続いて、誘導制御部２４０は、ステップ１１０３で取得された誘導対象の識別子に基づく誘導制御を行う（Ｓ１１０６）。具体的には、誘導制御部２４０は、誘導情報を表示させる制御信号を生成し、当該制御信号を通信部２７０に送信させてよい。
【００９８】
また、通信部２７０は、定期または不定期にコンテンツサーバ４０から関連コンテンツに対する入力情報を受信する（Ｓ１１０８）。
【００９９】
次に、本実施形態に係る分析部２６０は、ステップＳ１１０１で受信したログ情報とステップＳ１１０８で受信した関連コンテンツに対する入力情報とに基づいて、種々の分析を行う（Ｓ１１０９）。
【０１００】
＜２．ハードウェア構成例＞
次に、本開示に係る情報処理装置２０、情報処理端末３０、およびコンテンツサーバ４０に共通するハードウェア構成例について説明する。図１０は、本開示に係る情報処理装置２０、情報処理端末３０、およびコンテンツサーバ４０のハードウェア構成例を示すブロック図である。図１０を参照すると、情報処理装置２０、情報処理端末３０、およびコンテンツサーバ４０は、例えば、ＣＰＵ８７１と、ＲＯＭ８７２と、ＲＡＭ８７３と、ホストバス８７４と、ブリッジ８７５と、外部バス８７６と、インターフェース８７７と、入力装置８７８と、出力装置８７９と、ストレージ８８０と、ドライブ８８１と、接続ポート８８２と、通信装置８８３と、を有する。なお、ここで示すハードウェア構成は一例であり、構成要素の一部が省略されてもよい。また、ここで示される構成要素以外の構成要素をさらに含んでもよい。
【０１０１】
（ＣＰＵ８７１）
ＣＰＵ８７１は、例えば、演算処理装置又は制御装置として機能し、ＲＯＭ８７２、ＲＡＭ８７３、ストレージ８８０、又はリムーバブル記録媒体９０１に記録された各種プログラムに基づいて各構成要素の動作全般又はその一部を制御する。
【０１０２】
（ＲＯＭ８７２、ＲＡＭ８７３）
ＲＯＭ８７２は、ＣＰＵ８７１に読み込まれるプログラムや演算に用いるデータ等を格納する手段である。ＲＡＭ８７３には、例えば、ＣＰＵ８７１に読み込まれるプログラムや、そのプログラムを実行する際に適宜変化する各種パラメータ等が一時的又は永続的に格納される。
【０１０３】
（ホストバス８７４、ブリッジ８７５、外部バス８７６、インターフェース８７７）
ＣＰＵ８７１、ＲＯＭ８７２、ＲＡＭ８７３は、例えば、高速なデータ伝送が可能なホストバス８７４を介して相互に接続される。一方、ホストバス８７４は、例えば、ブリッジ８７５を介して比較的データ伝送速度が低速な外部バス８７６に接続される。また、外部バス８７６は、インターフェース８７７を介して種々の構成要素と接続される。
【０１０４】
（入力装置８７８）
入力装置８７８には、例えば、マウス、キーボード、タッチパネル、ボタン、スイッチ、及びレバー等が用いられる。さらに、入力装置８７８としては、赤外線やその他の電波を利用して制御信号を送信することが可能なリモートコントローラ（以下、リモコン）が用いられることもある。
【０１０５】
（出力装置８７９）
出力装置８７９には、例えば、ＣＲＴ（Ｃａｔｈｏｄｅ  Ｒａｙ  Ｔｕｂｅ）、ＬＣＤ、又は有機ＥＬ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。
【０１０６】
（ストレージ８８０）
ストレージ８８０は、各種のデータを格納するための装置である。ストレージ８８０としては、例えば、ハードディスクドライブ（ＨＤＤ）等の磁気記憶デバイス、半導体記憶デバイス、光記憶デバイス、又は光磁気記憶デバイス等が用いられる。
【０１０７】
（ドライブ８８１）
ドライブ８８１は、例えば、磁気ディスク、光ディスク、光磁気ディスク、又は半導体メモリ等のリムーバブル記録媒体９０１に記録された情報を読み出し、又はリムーバブル記録媒体９０１に情報を書き込む装置である。
【０１０８】
（リムーバブル記録媒体９０１）
リムーバブル記録媒体９０１は、例えば、ＤＶＤメディア、Ｂｌｕ−ｒａｙ（登録商標）メディア、ＨＤ  ＤＶＤメディア、各種の半導体記憶メディア等である。もちろん、リムーバブル記録媒体９０１は、例えば、非接触型ＩＣチップを搭載したＩＣカード、又は電子機器等であってもよい。
【０１０９】
（接続ポート８８２）
接続ポート８８２は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）、ＲＳ−２３２Ｃポート、又は光オーディオ端子等のような外部接続機器９０２を接続するためのポートである。
【０１１０】
（外部接続機器９０２）
外部接続機器９０２は、例えば、プリンタ、携帯音楽プレーヤ、デジタルカメラ、デジタルビデオカメラ、又はＩＣレコーダ等である。
【０１１１】
（通信装置８８３）
通信装置８８３は、ネットワークに接続するための通信デバイスであり、例えば、有線又は無線ＬＡＮ、Ｂｌｕｅｔｏｏｔｈ（登録商標）、又はＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は各種通信用のモデム等である。
【０１１２】
＜３．まとめ＞
以上説明したように、本開示に係る情報処理装置２０は、複数の配信先装置１０から受信したログ情報と種々の抽出条件に基づいて対象先配信装置と対応付いた誘導対象の識別子を取得することができる。また、本開示に係る情報処理装置２０は、取得した誘導対象に識別子に基づいて、当該識別対象に配信プログラムに係る関連コンテンツへの誘導情報を表示させることができる。係る構成によれば、配信プログラムに係る関連コンテンツにユーザを効果的に誘導することが可能となる。
【０１１３】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１１４】
また、本明細書の情報処理装置２０の処理に係る各ステップは、必ずしもフローチャートとして記載された順序に沿って時系列に処理する必要はない。例えば、情報処理装置２０の処理に係る各ステップは、フローチャートとして記載した順序と異なる順序で処理されても、並列的に処理されてもよい。
【０１１５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１６】
なお、以下のような構成も本開示の技術的範囲に属する。
（１）
配信先装置から取得した配信プログラムに係るログ情報に基づいて、複数の前記配信先装置から対象配信先装置を抽出する抽出部と、
前記対象配信先装置の識別子と対応付いた誘導対象の識別子を取得する識別子特定部と、
前記誘導対象の識別子に基づいて、前記誘導対象に前記配信プログラムに係る関連コンテンツへの誘導情報を表示させる誘導制御部と、
を備える、
情報処理装置。
（２）
前記識別子特定部は、ＩＰアドレスに基づいて特定した前記誘導対象の識別子を取得する、
前記（１）に記載の情報処理装置。
（３）
前記識別子特定部は、ＩＰアドレスに基づいて前記対象配信先装置と同一のネットワークに接続する前記誘導対象の識別子を取得する、
前記（１）または（２）に記載の情報処理装置。
（４）
前記抽出部は、前記ログ情報に基づいて、前記配信プログラムに対する処理を実行した配信先装置を前記対象配信先装置として抽出する、
前記（１）〜（３）のいずれかに記載の情報処理装置。
（５）
前記配信プログラムに対する処理は、再生または記録に係る処理を含む、
前記（４）に記載の情報処理装置。
（６）
前記誘導制御部は、前記誘導情報から前記関連コンテンツへのアクセスが行われる際、前記関連コンテンツに前記誘導対象の識別子が引き渡されるよう制御を行う、
前記（１）〜（５）のいずれかに記載の情報処理装置。
（７）
前記誘導制御部は、前記誘導対象と類似の傾向を有する類似対象にさらに前記誘導情報を表示させる、
前記（１）〜（６）のいずれかに記載の情報処理装置。
（８）
前記誘導対象の起動を促すプッシュ通知を行うプッシュ通知部、
をさらに含む、
前記（１）〜（７）のいずれかに記載の情報処理装置。
（９）
前記プッシュ通知部は、前記誘導対象が起動されていないことに基づいて前記プッシュ通知を行う、
前記（８）に記載の情報処理装置。
（１０）
前記ログ情報と前記関連コンテンツに対する入力情報とに基づく分析を実施する分析部、
をさらに備える、
前記（１）〜（９）のいずれかに記載の情報処理装置。
（１１）
前記分析部は、前記対象配信先装置の識別子と前記誘導対象の識別子とに基づいて、前記ログ情報と前記入力情報とを関連付けた分析を行う、
前記（１０）に記載の情報処理装置。
（１２）
前記関連コンテンツは、アンケートまたは広告のうち少なくとも一方を含む、
前記（１）〜（１１）のいずれかに記載の情報処理装置。
（１３）
前記配信プログラムは、映像プログラムを含み、
前記配信先装置は、前記映像プログラムの再生装置または記録装置のうち少なくとも一方を含む、
前記（１）〜（１２）のいずれかに記載の情報処理装置。
（１４）
前記誘導対象は、前記配信先装置と対応付けられたアプリケーション、サービス、または装置のうち少なくともいずれかを含む、
前記（１）〜（１３）のいずれかに記載の情報処理装置。
（１５）
前記誘導対象の識別子は、広告ＩＤを含み、
前記誘導制御部は、前記広告ＩＤをＤＳＰサーバへ送信させる、
前記（１）〜（１４）のいずれかに記載の情報処理装置。
（１６）
プロセッサが、配信先装置から取得した配信プログラムに係るログ情報に基づいて、複数の前記配信先装置から対象配信先装置を抽出することと、
前記対象配信先装置の識別子と対応付いた誘導対象の識別子を取得することと、
前記誘導対象の識別子に基づいて、前記誘導対象に前記配信プログラムに係る関連コンテンツへの誘導情報を表示させることと、
を含む、
情報処理方法。
（１７）
コンピュータを、
配信先装置から取得した配信プログラムに係るログ情報に基づいて、複数の前記配信先装置から対象配信先装置を抽出する抽出部と、
前記対象配信先装置の識別子と対応付いた誘導対象の識別子を取得する識別子特定部と、
前記誘導対象の識別子に基づいて、前記誘導対象に前記配信プログラムに係る関連コンテンツへの誘導情報を表示させる誘導制御部と、
を備える、
情報処理装置、
として機能させるためのプログラム。
（１８）
配信先装置から取得した配信プログラムに係るログ情報に基づいて、複数の前記配信先装置から対象配信先装置を抽出する抽出部と、
前記対象配信先装置の識別子と対応付いた誘導対象の識別子を取得する識別子特定部と、
前記誘導対象の識別子に基づいて、前記誘導対象に前記配信プログラムに係る関連コンテンツへの誘導情報を表示させる誘導制御部と、
前記誘導制御部による制御に基づいて前記誘導情報を表示する表示部と、
を備える、
情報処理システム。
【符号の説明】
【０１１７】
１０      配信先装置
１１０    配信プログラム処理部
１２０    制御部
１３０    ログ保持部
１４０    通信部
２０      情報処理装置
２１０    記憶部
２２０    抽出部
２３０    識別子特定部
２４０    誘導制御部
２５０    プッシュ通知部
２６０    分析部
２７０    通信部
３０      情報処理端末
３１０    表示部
３２０    入力部
３３０    制御部
３４０    通信部
４０      コンテンツサーバ
４１０    コンテンツ保持部
４２０    コンテンツ配信部
４３０    入力情報保持部
４４０    通信部
【図１】
2018123248.tif 000003
【図２】
2018123248.tif 000004
【図３】
2018123248.tif 000005
【図４】
2018123248.tif 000006
【図５】
2018123248.tif 000007
【図６】
2018123248.tif 000008
【図７】
2018123248.tif 000009
【図８】
2018123248.tif 000010
【図９】
2018123248.tif 000011
【図１０】
2018123248.tif 000012
【国際調査報告】
2018123248.tif 000013
2018123248.tif 000014
2018123248.tif 000015
2018123248.tif 000016